(57)【要約】【課題】広い空間内の空気を効果的に清浄にするとともに、メンテナンス性が良好な空気清浄機を提供する。【解決手段】空気清浄機１は、吸入口１１から吸い込んだ空気を排気口１２から排気する空調室１０内の途中に配置され、複数の電気集塵ユニット７０を着脱自在に有する複数の電気集塵装置３０Ｒ、３０Ｌと、隣接して列を成す複数の電気集塵装置３０Ｒ、３０Ｌを支持する架台６０とを備え、電気集塵ユニット７０は、コロナ放電を発生させて前記空気中の浮遊微粒子ｐを帯電させる放電部７１と、放電部７１によって帯電された浮遊微粒子ｐを電気的に付着させる捕集部７２とを有し、架台６０は、複数の電気集塵装置３０Ｒ、３０Ｌを流路の方向にそれぞれ移動可能に支持し、電気集塵装置３０Ｒは、隣接する別の電気集塵装置３０Ｌの側に、電気集塵ユニット７０の着脱時に開く開閉蓋３９を備えて構成される。【選択図】図５
2016209791.tif 000002
【特許請求の範囲】
【請求項１】
吸入口から吸い込んだ空気を排気口から排気する流路の途中に配置され、複数の電気集塵ユニットを着脱自在に有する複数の電気集塵装置と、
前記流路の方向に対して直交する方向に隣接して列を成す複数の前記電気集塵装置を支持する架台とを備え、
前記電気集塵ユニットは、コロナ放電を発生させて前記空気中の浮遊微粒子を帯電させる放電部と、前記放電部によって帯電された前記浮遊微粒子を電気的に付着させる捕集部とを有し、
前記架台は、複数の前記電気集塵装置を前記流路の方向にそれぞれ移動可能に支持し、
前記電気集塵装置は、隣接する別の前記電気集塵装置の側に、前記電気集塵ユニットの着脱時に開く開閉蓋を備えることを特徴とする、空気清浄機。
【請求項２】
複数の前記電気集塵ユニットは、前記流路の方向に対して直交する方向に隣接して列を成すように配置されることを特徴とする、
請求項１に記載の空気清浄機。
【請求項３】
複数の前記電気集塵ユニットは、複数の列を成して配置されることを特徴とする、
請求項２に記載の空気清浄機。
【請求項４】
前記電気集塵装置は、前記架台に懸吊支持されることを特徴とする、
請求項１乃至３のいずれか１項に記載の空気清浄機。
【請求項５】
前記電気集塵装置は、前記電気集塵ユニットの下流側にフィルタを備えることを特徴とする、
請求項１乃至４のいずれか１項に記載の空気清浄機。
【請求項６】
前記電気集塵装置の下流側に所定の間隔を隔てて熱交換器を備えることを特徴とする、
請求項１乃至５のいずれか１項に記載の空気清浄機。
【請求項７】
複数の前記電気集塵ユニットのそれぞれに印加される電圧をそれぞれ検出する電圧検出装置を備えることを特徴とする、
請求項１乃至６のいずれか１項に記載の空気清浄機。
【請求項８】
複数の前記電気集塵ユニットにそれぞれ対応する複数の第１の警告灯と、
複数の前記電気集塵ユニットの全てに対応する第２の警告灯とを有し、
前記第１の警告灯と前記第２の警告灯は、前記電圧検出装置の検出値に応じて作動されることを特徴とする、
請求項７に記載の空気清浄機。
【請求項９】
前記放電部は、前記流路の上流側と下流側の両端側が開口する放電空間内に、前記流路の方向に直交する面内に行列を成して配置される複数のニードル電極と、
それぞれの前記ニードル電極毎に前記放電空間をそれぞれ形成する対向電極とから構成され、
前記捕集部は、前記放電空間に連続する空間を仕切って前記流路を複数に分割する複数の捕集電極板と、
それぞれの前記捕集電極板に対応し、前記浮遊微粒子に前記捕集電極板へ向かう偏向力を付与する複数の偏向電極板とから構成されることを特徴とする、
請求項１乃至８のいずれか１項に記載の空気清浄機。
【発明の詳細な説明】
【技術分野】
【０００１】
本発明は、空気を清浄にする空気清浄機に関し、より詳細には、電気集塵式の空気清浄機に関する。
【背景技術】
【０００２】
従来から、空気を清浄にする空気清浄機として、電気集塵式の空気清浄機が知られており、住宅、オフィス、レストランなど様々な空間内の空気の清浄化に用いられている。
【０００３】
電気集塵式の空気清浄機は、空気中に浮遊する微粒子を静電気による力で捕集して除去するものである。例えば、特許文献１に開示されるように、電気集塵式の空気清浄機は、空気中の浮遊する微粒子を帯電させる電極と帯電された微粒子を電気的に付着させる電極とを有する電気集塵ユニットによって、空気中に浮遊する微粒子を捕集する。
【先行技術文献】
【特許文献】
【０００４】
【特許文献１】特開２０００−３３４３３０号公報
【発明の概要】
【発明が解決しようとする課題】
【０００５】
ここで、このような電気集塵式の空気清浄機は、メンテナンスの一つとして、電気集塵ユニットによって捕集された微粒子を電気集塵ユニットから定期的に除去する必要がある。具体的には、空気清浄機から電気集塵ユニットを取り外し、電気集塵ユニットを洗浄液によって洗浄することで、捕集された微粒子を除去する。このようなメンテナンスは、例えば１週間から４週間毎に行われ、その都度電気集塵ユニットが着脱される。
【０００６】
また、遊技施設、工場、ホテルなどの広い空間内の空気を電気集塵方式の空気清浄機によって清浄にしたいといった要望もある。このような広い空間内の空気を電気集塵式の空気清浄機によって清浄する場合には、空間の広さに応じて複数の電気集塵ユニットが必要となる。したがって、メンテナンス性の観点において、電気集塵ユニットの着脱が容易であることは重要であり、メンテナンスの作業が容易となることでランニングコストの低減を図ることができる。
【０００７】
また、電気集塵式の空気清浄機の空気の清浄効率は、清浄する空気が通過する流路断面における電気集塵ユニットが占める領域の割合の影響を受ける。流路断面における電気集塵ユニットが占める領域の割合が大きいほど、効率の良い空気の清浄ができる。したがって、清浄効率の観点において、空気の流路における電気集塵ユニットの配置は重要である。
【０００８】
そこで本発明の目的は、広い空間内の空気を効果的に清浄にするとともに、メンテナンス性が良好な空気清浄機を提供することにある。
【課題を解決するための手段】
【０００９】
上記課題を解決するため、本発明の空気清浄機は、
吸入口から吸い込んだ空気を排気口から排気する流路の途中に配置され、複数の電気集塵ユニットを着脱自在に有する複数の電気集塵装置と、
前記流路の方向に対して直交する方向に隣接して列を成す複数の前記電気集塵装置を支持する架台とを備え、
前記電気集塵ユニットは、コロナ放電を発生させて前記空気中の浮遊微粒子を帯電させる放電部と、前記放電部によって帯電された前記浮遊微粒子を電気的に付着させる捕集部とを有し、
前記架台は、複数の前記電気集塵装置を前記流路の方向にそれぞれ移動可能に支持し、
前記電気集塵装置は、隣接する別の前記電気集塵装置の側に、前記電気集塵ユニットの着脱時に開く開閉蓋を備えることを特徴とする。
【００１０】
更に、複数の前記電気集塵ユニットは、前記流路の方向に対して直交する方向に隣接して列を成すように配置されることを特徴とする。
【００１１】
更に、複数の前記電気集塵ユニットは、複数の列を成して配置されることを特徴とする。
【００１２】
更に、前記電気集塵装置は、前記架台に懸吊支持されることを特徴とする。
【００１３】
更に、前記電気集塵装置は、前記電気集塵ユニットの下流側にフィルタを備えることを特徴とする。
【００１４】
更に、前記電気集塵装置の下流側に所定の間隔を隔てて熱交換器を備えることを特徴とする。
【００１５】
更に、複数の前記電気集塵ユニットのそれぞれに印加される電圧をそれぞれ検出する電圧検出装置を備えることを特徴とする。
【００１６】
更に、複数の前記電気集塵ユニットにそれぞれ対応する複数の第１の警告灯と、
複数の前記電気集塵ユニットの全てに対応する第２の警告灯とを有し、
前記第１の警告灯と前記第２の警告灯は、前記電圧検出装置の検出値に応じて作動されることを特徴とする。
【００１７】
更に、前記放電部は、前記流路の上流側と下流側の両端側が開口する放電空間内に、前記流路の方向に直交する面内に行列を成して配置される複数のニードル電極と、
それぞれの前記ニードル電極毎に前記放電空間をそれぞれ形成する対向電極とから構成され、
前記捕集部は、前記放電空間に連続する空間を仕切って前記流路を複数に分割する複数の捕集電極板と、
それぞれの前記捕集電極板に対応し、前記浮遊微粒子に前記捕集電極板へ向かう偏向力を付与する複数の偏向電極板とから構成されることを特徴とする。
【発明の効果】
【００１８】
本発明の空気清浄機によれば、吸入口から吸い込んだ空気を排気口から排気する流路の途中に配置され、複数の電気集塵ユニットを着脱自在に有する複数の電気集塵装置と、前記流路の方向に対して直交する方向に隣接して列を成す複数の前記電気集塵装置を支持する架台とを備え、前記電気集塵ユニットは、コロナ放電を発生させて前記空気中の浮遊微粒子を帯電させる放電部と、前記放電部によって帯電された前記浮遊微粒子を電気的に付着させる捕集部とを有し、前記架台は、複数の前記電気集塵装置を前記流路の方向にそれぞれ移動可能に支持し、前記電気集塵装置は、隣接する別の前記電気集塵装置の側に、前記電気集塵ユニットの着脱時に開く開閉蓋を備えるので、広い空間内の空気を効果的に清浄にするとともに、メンテナンス性が良好な空気清浄機を提供することができる。
【００１９】
更に、複数の前記電気集塵ユニットは、前記流路の方向に対して直交する方向に隣接して列を成すように配置される構成によれば、広い空間内の空気をより効果的に清浄にするとともに、メンテナンス性が良好な空気清浄機を提供することができる。
【００２０】
更に、複数の前記電気集塵ユニットは、複数の列を成して配置される構成によれば、広い空間内の空気をより効果的に清浄にするとともに、メンテナンス性が良好な空気清浄機を提供することができる。
【００２１】
更に、前記電気集塵装置は、前記架台に懸吊支持される構成によれば、電気集塵装置が設置される面に加わる単位面積当たりの荷重を低減させることができ、電気集塵装置の設置場所の自由度が増し、例えば、省スペース化が可能となる。
【００２２】
更に、前記電気集塵装置は、前記電気集塵ユニットの下流側にフィルタを備える構成によれば、空気中のオゾンの除去や脱臭などをすることができる。
【００２３】
更に、前記電気集塵装置の下流側に所定の間隔を隔てて熱交換器を備える構成によれば、空気を効果的に清浄にするとともに、空気の温度調節も可能となり、使い勝手が良い。
【００２４】
更に、複数の前記電気集塵ユニットのそれぞれに印加される電圧をそれぞれ検出する電圧検出装置を備える構成によれば、電気集塵ユニットの異常を検知することができ、使い勝手が良い。
【００２５】
更に、複数の前記電気集塵ユニットにそれぞれ対応する複数の第１の警告灯と、複数の前記電気集塵ユニットの全てに対応する第２の警告灯とを有し、前記第１の警告灯と前記第２の警告灯は、前記電圧検出装置の検出値に応じて作動される構成によれば、電気集塵ユニットの異常を目視で確認できるととともに、複数の電気集塵ユニットの内、異常のある電気集塵ユニットを即座に識別することができ、使い勝手が良い。
【００２６】
更に、前記放電部は、前記流路の上流側と下流側の両端側が開口する放電空間内に、前記流路の方向に直交する面内に行列を成して配置される複数のニードル電極と、それぞれの前記ニードル電極毎に前記放電空間をそれぞれ形成する対向電極とから構成され、前記捕集部は、前記放電空間に連続する空間を仕切って前記流路を複数に分割する複数の捕集電極板と、それぞれの前記捕集電極板に対応し、前記浮遊微粒子に前記捕集電極板へ向かう偏向力を付与する複数の偏向電極板とから構成される構成によれば、空気中の浮遊微粒子を効果的に除去して空気を清浄にすることができる。
【図面の簡単な説明】
【００２７】
【図１】本実施形態に係る空気清浄機の一例が示された概略側面図である。
【図２】図１の空気清浄機の概略構成が模式的に示された側面図である。
【図３】図２の空気清浄機の主要部が模式的に示された側面図である。
【図４】図２の空気清浄機の主要部が模式的に示された平面図である。
【図５】電気集塵装置が架台に支持された状態の一例が示された概略斜視図である。
【図６】架台が示された概略斜視図である。
【図７】右側に位置する電気集塵装置が示された概略斜視図である。
【図８】図７の電気集塵装置の概略背面図である。
【図９】図７の電気集塵装置の概略側面図である。
【図１０】開閉蓋が取り外された状態の電気集塵装置が示された概略側面図である。
【図１１】図１０の部分拡大図である。
【図１２】電気集塵ユニットの一例が示された概略斜視図である。
【図１３】電気集塵装置の連結機構が示された概略背面図である。
【図１４】図１３におけるＸＩＶ−ＸＩＶ線断面が示された概略断面図である。
【図１５】電気集塵装置の移動を説明するための概略平面図である。
【図１６】左側に位置する電気集塵装置の概略背面図である。
【図１７】図１２の電気集塵ユニットの構成が示された概略水平断面図である。
【図１８】図１２の電気集塵ユニットが示された概略正面図である。
【図１９】図１２の電気集塵ユニットの捕集部の内部構造が示された概略斜視図である。
【図２０】図１２の電気集塵ユニットの捕集機能を説明するための概略水平断面図である。
【図２１】右側に位置する電気集塵装置から電気集塵ユニットを取り外す際の空気清浄機の状態の一例が示された概略平面図である。
【図２２】図２１の概略側面図である。
【図２３】左側に位置する電気集塵装置から電気集塵ユニットを取り外す際の空気清浄機の状態の一例が示された概略平面図である。
【図２４】表示パネルが示された概略図である。
【図２５】別の電気集塵ユニットの構成の一例が示された概略水平断面図である。
【図２６】図２５の電気集塵ユニットの捕集機能を説明するための概略鉛直断面図である。
【発明を実施するための形態】
【００２８】
以下に、図面を参照しつつ、本発明の実施形態を詳細に説明する。まず、本実施形態に係る空気清浄機の構成を説明する。図１は、本実施形態に係る空気清浄機１の一例が示された概略側面図であり、図２は、図１の空気清浄機１の概略構成が模式的に示された側面図であり、図３は、図２の空気清浄機１の主要部が模式的に示された側面図であり、図４は、図２の空気清浄機１の主要部が模式的に示された平面図である。なお、以下では、説明の便宜上、図２における後述する吸入口１１側を前とし、排気口１２側を後とし、空気清浄機１が設置される床Ｆの側を下とし、床Ｆの反対側である上側を上とし、紙面に対して手前側を左とし、奥側を右とする。また、図２における矢印は、空気の流れ方向を示す。
【００２９】
図１〜図４に示されるように、本実施形態に係る空気清浄機１は、空気が吸い込まれる吸入口１１と吸い込まれた空気が排気される排気口１２とを有する空調室１０と、この空調室１０内に配置される、整流板１３、プレフィルタ１４、２つの電気集塵装置３０Ｒ、３０Ｌ、２つの電気集塵装置３０Ｒ、３０Ｌを支持する架台６０、殺菌灯１５、熱交換器１６、および吸引ファン装置１７などを備える。
【００３０】
空調室１０は、床Ｆの上に設けられ、左右の側壁、吸入口１１が設けられた前壁、排気口１２が設けられた後壁、屋根などから構成される。空調室１０の外観形状は、前後方向に延びる直方体形状である。空調室１０内には、吸入口１１から排気口１２へ向かって、清浄される空気の流れる順に、整流板１３、プレフィルタ１４、２つの電気集塵装置３０Ｒ、３０Ｌ、殺菌灯１５、熱交換器１６、吸引ファン装置１７が配置されている。清浄される空気は、吸引ファン装置１７によって、ダクト１８と連通する吸入口１１から空調室１０内に吸い込まれる。一方で、空調室１０内に吸い込まれた空気は、ダクト１９と連通する排気口１２へ排出される。ダクト１８とダクト１９は、各々内部の空気を清浄させる図示せぬ外部の空間に連通されている。つまり、空調室１０内は、清浄させる空気が通過する流路であり、吸入口１１側が上流側であり、排気口１２側が下流側である。この流路の断面形状は矩形状である。
【００３１】
整流板１３は、前後方向に延びる複数の板状部材が、上下方向に整列されて構成される。各板状部材は、左右方向を軸として、上下方向に回動可能に形成されている。そして、整流板１３は、各板状部材の向きを変更することで、空気の流れ方向を調節することができるように構成されている。そして、整流板１３は、吸入口１１から吸い込まれた空気の流量を流路断面内で略均一にすることができる。なお、整流板１３の構成は特に限定されるものではなく、吸入口１１から吸い込まれた空気の流量を流路断面内で略均一にすることができる構成であれば良い。
【００３２】
プレフィルタ１４は、空気中に浮遊する比較的大きな塵や埃、例えば１０μｍ以上の塵や埃を捕集するためのフィルタであり、後述する電気集塵装置３０Ｒ、３０Ｌの集塵における負荷を低減させることができるように構成されている。プレフィルタ１４は、例えば金属線をより合わせて形成されるフィルタや、熱可塑性樹脂繊維やガラス繊維などの各種繊維から構成される不織布から形成されるフィルタである。
【００３３】
プレフィルタ１４は、空調室１０内の流路を上流側と下流側とに仕切る仕切り板２０によって支持される。仕切り板２０には、上流側から下流側へ向けて貫通する貫通孔が形成される。貫通孔の位置は、電気集塵装置３０Ｒ、３０Ｌに対応している。この貫通孔の周縁には、上流側から下流側へ向けて窪む凹部が形成される。プレフィルタ１４は、仕切り板２０の貫通孔を閉塞するように凹部に嵌められて取り付けられる。
【００３４】
なお、プレフィルタ１４の構成は特に限定されるものではなく、空気中に浮遊する比較的大きな塵や埃を集塵することができる構成であれば良い。また、プレフィルタ１４の配置は特に限定されるものではなく、電気集塵装置３０Ｒ、３０Ｌの上流側に配置されていれば良い。また、空気清浄機１は、プレフィルタ１４を備えない構成であっても良い。
【００３５】
２つの電気集塵装置３０Ｒ、３０Ｌは、仕切り板２０の下流側である後方に隣接して配設される。２つの電気集塵装置３０Ｒ、３０Ｌは、流路を閉塞するように、左右方向に隣接して配置されている。なお、電気集塵装置３０Ｒは右側に位置し、電気集塵装置３０Ｌは左側に位置する。つまり、２つの電気集塵装置３０Ｒ、３０Ｌは、空気の流路方向である前後方向に対して直交する方向である左右方向に隣接しており、左右方向に列を成して配置されている。ここで、２つの電気集塵装置３０Ｒ、３０Ｌは、仕切り板２０の後方に隣接して配設されるとともに、仕切り板２０の貫通孔は、２つの電気集塵装置３０Ｒ、３０Ｌに対応している。そして、プレフィルタ１４を通過した空気が電気集塵装置３０Ｒまたは電気集塵装置３０Ｌのいずれかを通過するように、２つの電気集塵装置３０Ｒ、３０Ｌは空調室１０内に配置されている。詳細な構成については後述するが、電気集塵装置３０Ｒ、３０Ｌは、空気中に浮遊する微粒子、例えばタバコの煙、花粉、砂塵、粉塵、溶接ヒューム、各種オイルミストなどを捕集することができる。
【００３６】
電気集塵装置３０Ｒ、３０Ｌは、それぞれ架台６０に懸吊されて支持されている。詳細については後述するが、架台６０は、電気集塵装置３０Ｒ、３０Ｌを前後方向にそれぞれ移動可能に支持している。なお、図１〜図４において、電気集塵装置３０Ｒ、３０Ｌは、架台６０に対して最も前方（上流側）に移動されている状態であり、仕切り板２０に隣接している。そして、空気清浄機１は、電気集塵装置３０Ｒ、３０Ｌがこの状態に位置された状態で稼働される。
【００３７】
殺菌灯１５は、電気集塵装置３０Ｒ、３０Ｌの下流側である後方に位置している。殺菌灯１５は、空調室１０の側壁に設けられ、内方へ向かって突出している。殺菌灯１５は、空気中に浮遊する細菌やウイルス、例えばブドウ球菌などを死滅させるためのものであり、殺菌力を有する波長域の光線であって、波長が２５０〜２６０ｎｍである光線を含む紫外線を照射する紫外線照射灯である。なお、殺菌灯１５の構成や配置は特に限定されるものではなく、紫外線を照射して空気中に浮遊する細菌やウイルスを死滅させることができる構成や配置であれば良い。また、空気清浄機１は、殺菌灯１５を備えない構成であっても良い。
【００３８】
熱交換器１６は、電気集塵装置３０Ｒ、３０Ｌの下流側に所定の間隔を隔てて配置されており、架台６０の後方に隣接して配置されている。熱交換器１６は、空調室１０内を通過する空気を冷却または加熱するための温度調節装置の構成要素の一つである。温度調節装置は、この熱交換器１６、空調室１０の外部に配置される図示せぬ別の熱交換器、熱交換器１６と別の熱交換器を連結する図示せぬ配管、この配管内を流れて熱交換器１６と別の熱交換器との間で熱を移動させるための熱媒体、この熱媒体を熱交換器１６と別の熱交換器との間で循環させる図示せぬ循環装置などから構成される。温度調節装置は、空気を所望の温度、例えば１８℃〜３０℃の範囲内の所望の温度にすることができる。なお、温度調節装置の構成は特に限定されるものではなく、空調室１０内を通過する空気を冷却または加熱することができる構成であれば良い。また、空気清浄機１は、温度調節装置、つまり熱交換器１６を備えない構成であっても良い。
【００３９】
吸引ファン装置１７は、回転することによって空気を搬送させる羽根を備える図示せぬ遠心ファンと、遠心ファンを回転させるモータ２１などから構成される。吸引ファン装置１７は、清浄される空気をダクト１８と連通する吸入口１１から空調室１０内に吸い込み、プレフィルタ１４や電気集塵装置３０Ｒ、３０Ｌによって清浄された空気をダクト１９と連通する排気口１２へ排出させることができるように構成されている。なお、吸引ファン装置１７の構成は特に限定されるものではなく、空気を吸入口１１から空調室１０内に吸い込み、排気口１２へ排出させることができる構成であれば良い。
【００４０】
空調室１０は、一方の側壁に作業者が内部へ出入りするための扉２２を備える。扉２２は、空気の流れ方向である前後方向における電気集塵装置３０Ｒ、３０Ｌと熱交換器１６との間であって、架台６０の後部に対応する位置に設けられている。そして、扉２２は、作業者が電気集塵装置３０Ｒ、３０Ｌと熱交換器１６との間の空間であって、架台６０の後部の領域に出入りすることができるように構成されている。
【００４１】
また、空調室１０は、操作部２３を備える。操作部２３は、側壁の外方側に設けられている。操作部２３は、扉２２の近傍であって、電気集塵装置３０Ｒ、３０Ｌに対応する位置に設けられている。操作部２３は、空気清浄機１の各種装置を操作するためのものである。そして、作業者は、空調室１０の外部から操作部２３によって電気集塵装置３０Ｒ、３０Ｌ、殺菌灯１５、熱交換器１６を含む温度調節装置、吸引ファン装置１７などの操作をすることができる。
【００４２】
また、空調室１０は、制御部２４を備える。制御部２４は、空調室１０内に配置され、側壁の内方側に設けられている。制御部２４は、扉２２の近傍であって、操作部２３に対応する位置に設けられている。空気清浄機１が備える各種装置、電気集塵装置３０Ｒ、３０Ｌ、殺菌灯１５、熱交換器１６を含む温度調節装置、吸引ファン装置１７の動作は、制御部２４によって制御される。制御部２４は、種々の設定値、操作部２３からの入力信号、各種センサによる検出値等の入力信号を読み込むとともに、制御信号を出力することで、空気清浄機１の動作を制御するものであり、演算処理及び制御処理を行う処理装置、情報が格納される主記憶装置などから構成されている。制御部２４は、例えば、処理装置としてのＣＰＵ（Central Processing Unit）、主記憶装置としてのＲＯＭ（Read Only Memory）、ＲＡＭ（Random Access Memory）などを備えるマイクロコンピュータである。主記憶装置には、本実施形態に係る動作を実行するための制御プログラムや、各種情報などが格納されている。なお、これらの各種プログラムや情報などは、制御部２４とは別体として設けられる記憶装置に格納され、制御部２４が読み出す形態であっても良い。
【００４３】
次に、本実施形態の空気清浄機１の主要部であるで、電気集塵装置３０Ｒ、３０Ｌと、電気集塵装置３０Ｒ、３０Ｌを支持する架台６０について詳述する。図５は、電気集塵装置３０Ｒ、３０Ｌが架台６０に支持された状態の一例が示された概略斜視図であり、図６は、架台６０が示された概略斜視図である。ここで、図５および図６は、架台６０の上方かつ下流側である後方側から見た概略斜視図である。
【００４４】
まず、左右方向に隣接して列を成す２つの電気集塵装置３０Ｒ、３０Ｌを支持する架台６０について説明する。図６に示すように、架台６０は、複数の鋼材から構成される骨組構造であり、各鋼材を図示せぬボルトによって結合させることで形成されている。鋼材は、直線状に延びる四角筒状のパイプや板状のプレートなどである。なお、各鋼材は溶接によって結合されても良い。
【００４５】
架台６０は、鉛直方向に延びる９本の支柱フレーム６１、前後方向に延びる３本のレールフレーム６２、複数の連結フレーム６３、複数の補強フレーム６４、複数のトレー６５、複数のアジャスターボルト６６などを備える。架台６０の外観形状は、平面視において左右方向に延びる直方体である。
【００４６】
９本の支柱フレーム６１は、平面視において、左右方向の３つの列と前後方向の３つの行からなる３×３の長方形の行列の上に配置される。右側の行に位置する支柱フレーム６１ａ、６１ｂ、６１ｃの上端は、前後方向に延びるレールフレーム６２ａによって連結される。中央の行に位置する支柱フレーム６１ｄ、６１ｅ、６１ｆの上端は、前後方向に延びるレールフレーム６２ｂによって連結される。左側の行に位置する支柱フレーム６１ｇ、６１ｈ、６１ｉの上端は、前後方向に延びるレールフレーム６２ｃによって連結される。
【００４７】
レールフレーム６２ａは、レールフレーム６２ａと平行に前後方向に延びる板状のレール６７ａを内方側である左側に有する。レールフレーム６２ｂは、レールフレーム６２ｂと平行に前後方向に延びる板状のレール６７ｂを右側に有し、レールフレーム６２ｂと平行に前後方向に延びる板状のレール６７ｃを左側に有する。レールフレーム６２ｃは、レールフレーム６２ｃと平行に前後方向に延びる板状のレール６７ｄを内方側である右側に有する。レール６７ａ、６７ｂ、６７ｃ、６７ｄの後部には、それぞれ板状の停止板６８ａ、６８ｂ、６８ｃ、６８ｄが上下方向に幅を有して垂設されている。なお、レール６７には、後述する電気集塵装置３０Ｒ、３０Ｌがそれぞれ備える連結機構３２が取り付けられる。
【００４８】
前側の列に位置する３つの支柱フレーム６１ａ、６１ｄ、６１ｇは、連結フレーム６３ａ、６３ｂによって上端部が連結され、連結フレーム６３ｃ、６３ｄによって下端部が連結されている。後側の列に位置する３つの支柱フレーム６１ｃ、６１ｆ、６１ｉは、連結フレーム６３ｅ、６３ｆによって上端部が連結され、連結フレーム６３ｇ、６３ｈによって下端部が連結されている。また、右側の行に位置する支柱フレーム６１ｂと支柱フレーム６１ｃは、連結フレーム６３ｉによって下端部が連結されている。
【００４９】
支柱フレーム６１ａと支柱フレーム６１ｂの間、支柱フレーム６１ｄと支柱フレーム６１ｅの間、および支柱フレーム６１ｇと支柱フレーム６１ｈの間には、各々３つの補強フレーム６４が設けられている。各部材（支柱フレーム６１、レールフレーム６２、連結フレーム６３）の結合部には、板状の図示せぬ補強プレートが各部材間に筋交い状に設けられている。この補強プレートによって各部材の結合部の強度が向上されている。
【００５０】
また、レールフレーム６２ａとレールフレーム６２ｂとの間には、連結フレーム６３ａから連結フレーム６３ｅまで直線状に延びるトレー６５ａが設けられる。レールフレーム６２ｂとレールフレーム６２ｃとの間には、連結フレーム６３ｂから連結フレーム６３ｆまで直線状に延びるトレー６５ｂが設けられている。また、連結フレーム６３ｅおよび連結フレーム６３ｆに沿って左右方向に延び、トレー６５ａの後部とトレー６５ｂの後部に連結されるトレー６５ｃが設けられている。これらのトレー６５ａ、６５ｂ、６５ｃは、軽量化のため、上下方向に貫通する複数の貫通孔を有する。なお、これらのトレー６５ａ、６５ｂ、６５ｃには、電気集塵装置３０Ｒ、３０Ｌに繋がる配線が載置される。つまり、電気集塵装置３０Ｒ、３０Ｌに繋がる配線は、架台６０の上部に配策される。
【００５１】
各支柱フレーム６１には、それぞれ下端にアジャスターボルト６６が取り付けられている。この各支柱フレーム６１の下端に設けられたアジャスターボルト６６が空調室１０の床Ｆに接地する。また、架台６０は、上方、後方、および右側方に向かって突出するここでは図示せぬ複数のアジャスターボルト６６を更に備える。上方に突出するアジャスターボルト６６は、空調室１０の屋根と当接させるためのものである（図３参照）。後方に突出するアジャスターボルト６６は、熱交換器１６と当接させるためのものである（図４参照）。右側方に突出するアジャスターボルト６６は、空調室１０の右側の側壁と当接させるためのものである（図４参照）。したがって、架台６０は、その上下方向の傾きを各支柱フレーム６１の下端に設けられたアジャスターボルト６６によって調節することができる。また、上方、後方、および右側方に向かって突出する複数のアジャスターボルト６６によって、架台６０を空調室１０内に安定した状態で配置させることができる。
【００５２】
中央の列に位置する支柱フレーム６１ｂは、上下方向の略中央であって後方側に、係止フック６９ａを有す。中央の列に位置する支柱フレーム６１ｅは、上下方向の略中央であって後方側に、２つの係止フック６９ｂ、６９ｃを有する。中央の列に位置する支柱フレーム６１ｈは、上下方向の略中央であって後方側に、係止フック６９ｄを有す。なお、係止フック６９は、後述する電気集塵装置３０Ｒ、３０Ｌが備えるロックアーム３５を係止させるものである。
【００５３】
ここで、架台６０は、中央の行に位置する３本の支柱フレーム６１ｄ、６１ｅ、６１ｆを境界として、右架台領域６０Ｒと左架台領域６０Ｌの左右２つの領域に分割されている。右架台領域６０Ｒは、右側の行に位置する支柱フレーム６１ａ、６１ｂ、６１ｃと、その内側、つまり中央の行に位置する支柱フレーム６１ｄ、６１ｅ、６１ｆとで囲まれる領域である。一方、左架台領域６０Ｌは、中央の行に位置する支柱フレーム６１ｄ、６１ｅ、６１ｆと、左側の行に位置する支柱フレーム６１ｇ、６１ｈ、６１ｉとで囲まれる領域である。
【００５４】
また、右架台領域６０Ｒと左架台領域６０Ｌは、中央の列に位置する６１ｂ、６１ｅ、６１ｈによって、それぞれ前領域６０ＲＦ、６０ＬＦと後領域６０ＲＲ、６０ＬＲの前後に更に分割されている。つまり、右架台領域６０Ｒの前領域６０ＲＦは、支柱フレーム６１ａ、６１ｂ、６１ｄ、６１ｅによって囲まれる領域である。右架台領域６０Ｒの後領域６０ＲＲは、支柱フレーム６１ｂ、６１ｃ、６１ｅ、６１ｆによって囲まれる領域である。また、左架台領域６０Ｌの前領域６０ＬＦは、支柱フレーム６１ｄ、６１ｅ、６１ｇ、６１ｈによって囲まれる領域である。左架台領域６０Ｌの後領域６０ＬＲは、支柱フレーム６１ｅ、６１ｆ、６１ｈ、６１ｉ、によって囲まれる領域である。
【００５５】
右架台領域６０Ｒは、２つの電気集塵装置３０Ｒ、３０Ｌの内で、右側に位置される電気集塵装置３０Ｒに対応し、左架台領域６０Ｌは、左側に位置される電気集塵装置３０Ｌに対応している。右架台領域６０Ｒの左右方向の幅は、電気集塵装置３０Ｒの左右方向の幅と略同一である。右架台領域６０Ｒの前領域６０ＲＦの前後方向の幅は、電気集塵装置３０Ｒの前後方向の幅と略同一である。右架台領域６０Ｒの後領域６０ＲＲの前後方向の幅は、電気集塵装置３０Ｒの前後方向の幅よりも大である。そして、電気集塵装置３０Ｒは、右架台領域６０Ｒの前領域６０ＲＦに配置される。
【００５６】
一方、左架台領域６０Ｌの左右方向の幅は、電気集塵装置３０Ｌの左右方向の幅と略同一である。左架台領域６０Ｌの前領域６０ＬＦの前後方向の幅は、電気集塵装置３０Ｌの前後方向の幅と略同一である。左架台領域６０Ｌの後領域６０ＬＲの前後方向の幅は、電気集塵装置３０Ｌの前後方向の幅よりも大である。そして、電気集塵装置３０Ｌは左架台領域６０Ｌの前領域６０ＬＦに配置される。
【００５７】
次に、左右方向に隣接して列を成す２つの電気集塵装置３０Ｒ、３０Ｌについて説明する。なお、左右の電気集塵装置３０Ｒ、３０Ｌは、同様の形態であるため、以下では右側に位置し、架台６０の右架台領域６０Ｒに配置される電気集塵装置３０Ｒを取り上げて説明を行う。左側に位置し、架台６０の左架台領域６０Ｌに配置される電気集塵装置３０Ｌに関しては、その詳細な構成についての説明は省略し、右側の電気集塵装置３０Ｒと異なる構成についての説明を行う。また、既述のように、必要に応じて、右側に位置する電気集塵装置３０には符号Ｒ、左側に位置する電気集塵装置３０には符号Ｌを適宜付す。図７は、右側に位置する電気集塵装置３０Ｒが示された概略斜視図であり、図８は、図７の電気集塵装置３０Ｒの概略背面図であり、図９は、図７の電気集塵装置３０Ｒの概略側面図であり、図１０は、開閉蓋３９が取り外された状態の電気集塵装置３０Ｒが示された概略側面図であり、図１１は、図１０の部分拡大図である。ここで、図７は、右側に位置する電気集塵装置３０Ｒの上方かつ後方側から見た概略斜視図であり、図９は、電気集塵装置３０Ｌが隣接して位置する左側から見た概略側面図であり、図１１は、上収納部４１および第２の配線部４４が拡大されて示された拡大図である。
【００５８】
図７〜図１１に示すように、電気集塵装置３０は、本体ケース３１、本体ケース３１の上部に設けられる左右一対の連結機構３２、３２、本体ケース３１の下部に設けられる４つの運搬ローラ３４、３４、３４、３４、本体ケース３１の後部に設けられる左右一対のロックアーム３５、３５、本体ケース３１内に収容される１０個の電気集塵ユニット７０、…、７０、本体ケース３１内に収容される２つの脱臭フィルタ３６、３６、本体ケース３１内に収容される２つのオゾンフィルタ３７、３７などから構成される。
【００５９】
本体ケース３１の外観形状は、上下方向に延びる直方体である。本体ケース３１は、左側部に開口を有する箱構造であり、鋼板などから形成される。本体ケース３１は、開口を閉塞する開閉蓋３９を着脱自在に備える。開閉蓋３９は、複数のボルトによって本体ケース３１に取り付けられる。なお、開閉蓋３９は、開口を閉塞および開放することができる構成であれば良く、例えば、ヒンジ構造を介して本体ケース３１に取り付けられる構成であっても良い。
【００６０】
ここで、本体ケース３１の左右方向の幅は、上述の右架台領域６０Ｒの左右方向の幅と略同一である。また、本体ケース３１の前後方向の幅は、右架台領域６０Ｒの前領域６０ＲＦの前後方向の幅と略同一である。
【００６１】
本体ケース３１は、下部の前後左右にそれぞれ運搬ローラ３４、３４、３４、３４を備える。運搬ローラ３４は、電気集塵装置３０を運搬するためのものであり、その構成は特に限定されるものではない。なお、電気集塵装置３０は、運搬ローラ３４を備えない構成であっても良い。
【００６２】
本体ケース３１内は、水平方向に延びる４つの仕切り板４０、４０、４０、４０によって、上収納部４１、下収納部４２、上収納部４１の上方に位置する第１の配線部４３、および上収納部４１と下収納部４２との間に位置する第２の配線部４４の４つの領域に分割されている。
【００６３】
上収納部４１は、前部と後部に開口が形成されている。この前部と後部の開口は、通気性を有する保護部材４５、４５によって覆われている。上収納部４１内は、空気が通過する流路であり、前部の側が上流側であり、後部の側が下流側である。ここで、保護部材４５は、上収納部４１内を空気が通過できるようにするとともに、上収納部４１内が露出するのを防止するためのものである。保護部材４５は、例えば金網や多孔板であるパンチングメタルなどである。なお、保護部材４５の構成は特に限定されるものではなく、空気が上収納部４１内を前部から後部へ向けて流れるようにすることができるとともに、上収納部４１内が露出するのを防止することができる構成であれば良い。例えば、本体ケース３１と保護部材４５が一体に形成される構成であっても良い。つまり、本体ケース３１の上収納部４１に対応する前部と後部に、多数の通気孔が形成される構成であっても良い。
【００６４】
上収納部４１内には、空気の流路を横断するように、５個の電気集塵ユニット７０、…、７０、１つの脱臭フィルタ３６、１つのオゾンフィルタ３７が収容されている。５個の電気集塵ユニット７０、…、７０は、左右方向に隣接して列を成すように配置されている。脱臭フィルタ３６は、列を成して配置される５個の電気集塵ユニット７０、…、７０の下流側である後方に、左右方向に延びて配置されている。オゾンフィルタ３７は、脱臭フィルタ３６の下流側である後方に、左右方向に延びて配置されている。そして、上収納部４１内を通過する空気は、前部から後部へ向けて、順次、いずれかの電気集塵ユニット７０、脱臭フィルタ３６、オゾンフィルタ３７を通過する。
【００６５】
電気集塵ユニット７０は、空気中に浮遊する微粒子を静電気による力で捕集する装置である。詳細な構成については後述するが、電気集塵ユニット７０の外観形状は、図１２に示すように、上下方向に延びる直方体である。ここで、図１２は、電気集塵ユニット７０の一例が示された概略斜視図であり、電気集塵ユニット７０の下方かつ後方側から見た概略斜視図である。また、図１２における矢印は、空気の流れ方向を示す。
【００６６】
電気集塵ユニット７０は、上流側である前部に位置するここでは図示せぬ放電部７１、下流側である後部に位置する捕集部７２、内部に放電部７１と捕集部７２とを収容する枠体７３などから構成される。放電部７１は、コロナ放電を発生させて空気中の浮遊微粒子を帯電させる機能を有する。捕集部７２は、放電部７１の下流側である後方に配置され、放電部７１によって帯電された浮遊微粒子を電気的に捕集する機能を有する。枠体７３は、前後方向に筒軸が延びる四角筒状であり、内部に放電部７１と捕集部７２が収容される。枠体７３の左右の両側部には、前端および後端のそれぞれに沿って上下方向に延びるフランジ部７４、７４、７４、７４が形成されている。枠体７３は、左右の両側部に、伸縮自在な帯状の把持部７５、７５を備える。また、枠体７３は、放電部７１および捕集部７２と電気的に接続される一対の給電電極７６、７６を下部に備える。この一対の給電電極７６、７６から電気集塵ユニット７０に電力が供給される。
【００６７】
このような構成の５個の電気集塵ユニット７０、…、７０は、それぞれの給電電極７６、７６が下方に位置するとともに、隣接する電気集塵ユニット７０の側部の２つのフランジ部７４、７４同士が当接する状態で、左右方向に列を成して上収納部４１内に収容される。列を成して配置される５個の電気集塵ユニット７０、…、７０は、上収納部４１の上部と下部に対向して設けられる上下一対のユニット支持部４６、４６によって着脱自在に支持されている。ユニット支持部４６は、細長い平板の短手両端部が長手方向に平行に折り曲げられて形成されている（図１１参照）。ユニット支持部４６の鉛直断面形状は、略Ｕ字状である。ユニット支持部４６は、上収納部４１の右側端部から左側端部まで延びている。この上下一対のユニット支持部４６、４６は、それぞれの立ち上がった両端部が上収納部４１の内方を向いて対向している。そして、電気集塵ユニット７０は、上部と下部が、それぞれ上下一対のユニット支持部４６、４６の立ち上がった両端部に挟持されるようにして、上収納部４１内に収容されている。
【００６８】
なお、５個の電気集塵ユニット７０、…、７０は、開閉蓋３９が取り外されて開口が開放された状態において、上下一対のユニット支持部４６、４６に沿って、開口の側へ向かって順次引き出すことによって、電気集塵装置３０から取り外すことができる。この際、作業者は、電気集塵ユニット７０の側部に設けられた帯状の把持部７５を持って電気集塵ユニット７０を引き出すことができ、電気集塵ユニット７０を容易に取り外すことができる。一方、５個の電気集塵ユニット７０、…、７０は、上下一対のユニット支持部４６、４６に沿って、開口の側から右側へ向かって順次押し込むことによって、電気集塵装置３０に取り付けることができる。したがって、５個の電気集塵ユニット７０、…、７０を容易に取り付けることができる。また、５個の電気集塵ユニット７０、…、７０は、一つの開口から着脱させることができ、使い勝手が良い。
【００６９】
脱臭フィルタ３６は、上収納部４１の上部と下部に対向して設けられる上下一対の第１のフィルタ支持部４７、４７によって着脱自在に支持されている。第１のフィルタ支持部４７は、ユニット支持部４６と同様の形態であり、細長い平板の短手両端部が長手方向に平行に折り曲げられて形成されている。第１のフィルタ支持部４７の鉛直断面形状は、略Ｕ字状である。第１のフィルタ支持部４７は、上収納部４１の右側端部から左側端部まで延びている。この上下一対の第１のフィルタ支持部４７、４７は、それぞれの立ち上がった両端部が上収納部４１の内方を向いて対向している。そして、脱臭フィルタ３６は、上部と下部が、それぞれ上下一対の第１のフィルタ支持部４７、４７の立ち上がった両端部に挟持されるようにして、上収納部４１内に収容されている。
【００７０】
なお、脱臭フィルタ３６は、開閉蓋３９が取り外されて開口が開放された状態において、上下一対の第１のフィルタ支持部４７、４７に沿って、開口の側へ向かって引き引き出すことによって、電気集塵装置３０から取り外すことができる。一方、脱臭フィルタ３６は、上下一対の第１のフィルタ支持部４７、４７に沿って、開口の側から右側へ向かって押し込むことによって、電気集塵装置３０に取り付けることができる。したがって、脱臭フィルタ３６の着脱は容易であり、使い勝手が良い。
【００７１】
脱臭フィルタ３６は、空気中に浮遊する臭気成分物質を吸着したり、分解したりして除去するためのフィルタである。脱臭フィルタ３６としては、例えば活性炭やゼオライトなどの多孔質体によって臭気成分物質を吸着するフィルタや、酸化チタンなどの光触媒を用いて臭気成分物質を分解するフィルタである。なお、脱臭フィルタ３６の構成は特に限定されるものではなく、空気中に臭気物資を除去することができる構成であれば良い。
【００７２】
オゾンフィルタ３７は、上収納部４１の上部と下部に対向して設けられる上下一対の第２のフィルタ支持部４８、４８によって着脱自在に支持されている。第２のフィルタ支持部４８は、ユニット支持部４６や第１のフィルタ支持部４７と同様の形態であり、細長い平板の短手両端部が長手方向に平行に折り曲げられ形成される。第２のフィルタ支持部４８の鉛直断面形状は、略Ｕ字状である。第２のフィルタ支持部４８は、上収納部４１の右側端部から左側端部まで延びている。この上下一対の第２のフィルタ支持部４８、４８は、それぞれの立ち上がった両端部が上収納部４１の内方を向いて対向している。そして、オゾンフィルタ３７は、上部と下部が、それぞれ上下一対の第２のフィルタ支持部４８、４８の立ち上がった両端部に挟持されるようにして、上収納部４１内に収容されている。
【００７３】
なお、オゾンフィルタ３７は、開閉蓋３９が取り外されて開口が開放された状態において、上下一対の第２のフィルタ支持部４８、４８に沿って、開口の側へ向かって引き引き出すことによって、電気集塵装置３０から取り外すことができる。一方、オゾンフィルタ３７は、上下一対の第２のフィルタ支持部４８、４８に沿って、開口の側から右側へ向かって押し込むことによって、電気集塵装置３０に取り付けることができる。したがって、オゾンフィルタ３７の着脱は容易であり、使い勝手が良い。
【００７４】
オゾンフィルタ３７は、空気中に浮遊するオゾンを除去するためのフィルタである。詳細については後述するが、オゾンフィルタ３７の上流側に位置する電気集塵ユニット７０は、コロナ放電を発生させて浮遊微粒を帯電させている。したがって、電気集塵ユニット７０からこの放電に伴うオゾンが発生する。オゾンフィルタ３７は、この電気集塵ユニット７０から発生するオゾンを除去するものである。オゾンフィルタ３７としては、例えば酸化マンガンなどのオゾン分解触媒を用いてオゾンを分解して除去するフィルタである。なお、オゾンフィルタ３７の構成は特に限定されるものではなく、オゾンを除去することができる構成であれば良い。
【００７５】
下収納部４２は、上述の上収納部４１と同様の構成であり、前部と後部に開口が形成さている。この前部と後部の開口は、通気性を有する保護部材４５、４５によって覆われている（図９等参照）。下収納部４２内は、空気が通過する流路であり、前部の側が上流側であり、後部の側が下流側である。
【００７６】
下収納部４２内には、上収納部４１と同様に、空気の流路を横断するように、５個の電気集塵ユニット７０、…、７０、１つの脱臭フィルタ３６、１つのオゾンフィルタ３７が収容されている（図８〜図１０参照）。そして、下収納部４２内を通過する空気は、前部から後部へ向けて、順次、いずれかの電気集塵ユニット７０、脱臭フィルタ３６、オゾンフィルタ３７を通過する。
【００７７】
下収納部４２に収容される５個の電気集塵ユニット７０、…、７０は、上収納部４１と同様に、下収納部４２の上部と下部に対向して設けられる上下一対のユニット支持部４６、４６によって着脱自在に支持されている。なお、下収納部４２に収容される５個の電気集塵ユニット７０、…、７０は、上下が逆さまの状態、つまりそれぞれの給電電極７６、７６が上方に位置する状態で収容されている。
【００７８】
下収納部４２に収容される脱臭フィルタ３６は、上収納部４１と同様に、下収納部４１の上部と下部に対向して設けられる上下一対の第１のフィルタ支持部４７、４７によって着脱自在に支持されている。
【００７９】
下収納部４２に収容されるオゾンフィルタ３７は、上収納部４１と同様に、下収納部４２の上部と下部に対向して設けられる上下一対の第２のフィルタ支持部４８、４８によって着脱自在に支持されている。
【００８０】
第１の配線部４３および第２の配線部４４には、各電気集塵ユニット７０へ繋がる配線などが収納される。第２の配線部４４内には、上収納部４１内に収容される５つの電気集塵ユニット７０、…、７０および下収納部４２内に収容される５つの電気集塵ユニット７０、…、７０にそれぞれ対応する複数の接続端子４９を備える（図１０、図１１参照）。接続端子４９の一端は、仕切り板４０とユニット支持部４６の中央部を貫通する図示せぬ貫通孔を介して、ユニット支持部４６の中央部の表面から突出している。接続端子４９の他端は、図示せぬ電源へと繋がる図示せぬ配線と接続されている。そして、各接続端子４９は、電気集塵ユニット７０が列を成して収容された際に、対応する電気集塵ユニット７０の各給電電極７６と接続されるように構成されている。なお、接続端子４９の構成は特に限定されるもではなく、例えば金属製の薄い板バネが給電電極７６と接触するような構成であっても良い。
【００８１】
また、第２の配線部４４内には、各電気集塵ユニット７０に印加される電圧をそれぞれ検出する電圧検出装置５０を備える。電圧検出装置５０は、図示せぬ配線によって制御部２４と電気的に接続されている。なお、電圧検出装置５０の構成は特に限定されるものではなく、各種の電圧計を用いることができる。
【００８２】
各接続端子４９や電圧検出装置５０に接続される図示せぬ配線は、第２の配線部４４から上収納部４１と第１の配線部４４を介して本体ケース３１の上部に設けられたケーブル保護案内装置としてのケーブルベア（登録商標）ＣＢへ延びるように配索される。更に電線は、ケーブルベアＣＢ内を通り、架台６０の上部に設けられるトレー６５を介して図示せぬ電源や制御部２４などに接続されるように配策される。ここで、第２の配線部４４と上収納部４１の間の仕切り板４０、上収納部４１と第１の配線部４３との間の仕切り板４０、および本体ケース３１の上部には、配線が挿通される図示せぬ貫通孔が設けられている。また、配線は、上収納部４１内においては、本体ケース３１の右側部に沿って配索される。なお、電気集塵装置３０へ延びる各種配線の配策の構成は特に限定されるものではない。
【００８３】
次に、本体ケース３１の上部に設けられる左右一対の連結機構３２、３２について説明する。なお、左右の連結機構３２、３２は左右対称形状であるため、以下では左の連結機構３２を取り上げて説明を行う。右の連結機構３２の構成については説明を省略する。
【００８４】
連結機構３２は、側部５４と底部５５とを有するキャリア５１と、キャリア５１の側部５４に取り付けられる４つのローラ５２、５２、５２、５２と、本体ケース３１の上部に突設されるキャリアステイ５３などから構成される。キャリア５１は、前後方向に延びる平板が折り曲げられて断面形状が略Ｌ字状となるように形成されている。キャリア５１は鉛直方向へ立ち上がった側部５４と水平方向へ延びる底部５５とを有する。キャリア５１の側部５４には、４つのローラ５２、…、５２が左右方向を軸として回転自在に取り付けられる。４つのローラ５２、…、５２は、側部５４の前端部の上下および後端部の上下に配置されている。それぞれのローラ５２、…、５２の外周には、径方向に窪む溝が形成されている。
【００８５】
キャリア５１は、底部５５の前端部が幅広に形成されている。この底部５５の幅広の前端部が本体ケース３１の上部に突設されるキャリアステイ５３の上部に固定される。また、キャリア５１は、鉛直方向に延び、側部５４と底部５５に筋交い状に連結される３つの補強板５６、５６、５６を有し、その強度が向上されている。なお、前方に位置する補強板５６には、前方へ突出する第１のストッパー５７が設けられている。また、後方に位置する補強板５６には、後方へ突出する第２のストッパー５８が取り付けられる。第１のストッパー５７および第２のストッパー５８は、例えばゴムなどから形成され、弾性を有する。ここで、キャリア５１の前端部は、本体ケース３１の前部よりも後方に位置し、キャリア５１の後端部は、本体ケース３１の後部より後方に位置している。
【００８６】
そして、図１３、図１４に示すように、電気集塵装置３０Ｒは、左右一対の連結機構３２、３２を介して架台６０に取り付けられる。ここで、図１３は、電気集塵装置３０Ｒの連結機構３２が示された概略背面図であり、図１４は、図１３におけるＸＩＶ−ＸＩＶ線断面が示された概略断面図ある。なお、図１３、図１４では一部の構成の記載が省略されている。
【００８７】
右の連結機構３２は、架台６０のレール６７ａに取り付けられ、左の連結機構３２は、架台６０のレール６７ｂに取り付けられる。連結機構３２は、上方に位置する２つのローラ５２、５２と下方に位置する２つのローラ５２、５２によって、レール６７ａを上下方向から挟持するように取り付けられる。レール６７ａの上端および下端は、それぞれローラ５２、…、５２の外周に形成される溝に嵌合されている。
【００８８】
そして、電気集塵装置３０Ｒは、左右一対の連結機構３２、３２を介して架台６０に懸吊支持されている。更に、電気集塵装置３０Ｒは、架台６０に対して、レール６７に沿って前後方向に移動可能である。なお、電気集塵装置３０Ｒの前後方向の移動範囲は、所定の範囲内に規制されている。
【００８９】
電気集塵装置３０Ｒが架台６０の右架台領域６０Ｒの前領域６０ＲＦに位置している状態が、電気集塵装置３０Ｒが架台６０に対して最も前方まで移動した状態である。この状態において、電気集塵装置３０Ｒの前部が架台６０の前端に位置していている。そして、電気集塵装置３０Ｒが備える第１のストッパー５７は、架台６０の連結フレーム６３ａに当接している。つまり、第１のストッパー５７によって、電気集塵装置３０Ｒの架台６０に対する前方への移動範囲が規制される。
【００９０】
ここで、電気集塵装置３０Ｒが最も前方へ移動した状態において、電気集塵装置３０Ｒの後部が架台６０の中央の列に位置する支柱フレーム６１ｂ、６１ｅの間に位置するように、架台６０は構成されている。そして、電気集塵装置３０Ｒは、本体ケース３１の後部に設けられた左右一対のロックアーム３５、３５によって、右架台領域６０Ｒの前領域６０ＲＦに位置した状態に保持させることができる。ここで、ロックアーム３５、３５は、本体ケース３１の後部の左右両端部であって、第２の配線部４４に対応する位置に設けられている（図８、図１０参照）。ロックアーム３５は、略Ｌ字状の平板部材であり、屈曲部を軸として上下方向に回動自在に本体ケース３１に取り付けられている。なお、ロックアーム３５は、屈曲部を境にして、一方が係止部で他方が把持部となるように構成されている。このように構成される左右一対のロックアーム３５、３５の係止部を、架台６０の支柱フレーム６１ｂ、６１ｅに設けられた係止フック６９ａ、６９ｂにそれぞれ係止させることで、電気集塵装置３０Ｒの後方への移動が規制される。そして、電気集塵装置３０Ｒを右架台領域６０Ｒの前領域６０ＲＦに位置した状態に保持させることができる。
【００９１】
一方で、図１５に示すように、電気集塵装置３０Ｒは、架台６０の右架台領域６０Ｒの後領域６０ＲＲ内の所定の位置まで後方へ移動させることができる。ここで、図１５は、電気集塵装置３０Ｒの移動を説明するための概略平面図である。電気集塵装置３０Ｒが架台６０に対して最も後方まで移動した際には、電気集塵装置３０Ｒの前部は架台６０の中央の列に位置する支柱フレーム６１ｂ、６１ｅの後方に位置する。なお、電気集塵装置３０Ｒの後部は架台６０の後端から所定の距離だけ離間して位置している。この状態において、電気集塵装置３０Ｒが備える第２のストッパー５８、５８は、レール６７ａ、６７ｂに設けられた停止板６８ａ、６８ｂに当接している。つまり、第２のストッパー５８によって、電気集塵装置３０Ｒの架台６０に対する後方への移動範囲が規制される。
【００９２】
次に、左右方向に隣接して列を成す２つの電気集塵装置３０Ｒ、３０Ｌの内で、左側に位置し、架台６０の左架台領域６０Ｌに配置される電気集塵装置３０Ｌについて説明する。図１６は、左側に位置する電気集塵装置３０Ｌの概略背面図である。図１６に示すように、左側に位置する電気集塵装置３０Ｌは、左右方向の幅、備える電気集塵ユニット７０の数、および開閉蓋３９の位置以外の構成は、上述の右側に位置する電気集塵装置３０Ｒと同様の構成である。電気集塵装置３０Ｌにおける電気集塵装置３０Ｒと同様の構成の説明は省略する。
【００９３】
電気集塵装置３０Ｌは、電気集塵装置３０Ｒとは異なり、図示せぬ上収納部４１および下収納部４２にそれぞれ、左右方向に隣接して列をなす４個の電気集塵ユニット７０、…、７０を備える。そして、電気集塵装置３０Ｌは、４個の電気集塵ユニット７０、…、７０に応じて、その本体ケース３１の左右方向の幅が電気集塵装置３０Ｒの本体ケース３１の幅よりも小さい。電気集塵装置３０Ｌの本体ケース３１は、開閉蓋３９を右側部に着脱自在に備える。つまり、電気集塵装置３０Ｌの本体ケース３１は、右側部に開口を有し、この開口が開閉蓋３９によって閉塞されている。そして、上収納部４１および下収納部４２に収納される、電気集塵ユニット７０、脱臭フィルタ３６、オゾンフィルタ３７を着脱する際には、開閉蓋３９を取り外し、本体ケース３１の右側部の側から着脱する。
【００９４】
このような電気集塵装置３０Ｌは、電気集塵装置３０Ｒと同様に、左右一対の連結機構３２、３２を介して架台６０に懸吊支持され、レール６７ｃ、６７ｄに沿って前後方向に移動可能である。なお、電気集塵装置３０Ｌは、架台６０の左架台領域６０Ｌに配置される。そして、電気集塵装置３０Ｌは、電気集塵装置３０Ｒの左側に隣接して位置している。したがって、電気集塵装置３０Ｒは、隣接する電気集塵装置３０Ｌの側である左側部に開閉蓋３９を備え、電気集塵装置３０Ｌは、隣接する電気集塵装置３０Ｒの側である右側部に開閉蓋３９を備える構成である。
【００９５】
次に、図１２に示された電気集塵装置３０が備える電気集塵ユニット７０の構成について説明する。図１７は、図１２の電気集塵ユニット７０の構成が示された概略水平断面図であり、図１８は、図１２の電気集塵ユニット７０が示された概略正面図であり、図１９は、図１２の電気集塵ユニット７０の捕集部７２の内部構造が示された概略斜視図であり、図２０は、図１２の電気集塵ユニット７０の捕集機能を説明するための概略水平断面図である。ここで、図１９は、捕集部７２を下方かつ後方側から見た概略側面図であり、図１７、図２０における矢印は、空気の流れ方向を示す。
【００９６】
上述したように、電気集塵ユニット７０は、放電部７１、捕集部７２、枠体７３などから構成され、空気中に浮遊する微粒子を静電気による力で捕集する装置である。電気集塵ユニット７０は、放電部７１によって、コロナ放電を発生させて空気中の浮遊微粒子を帯電させるとともに、放電部７１の下流側である後方に配置さる捕集部７２によって、この帯電された浮遊微粒子を電気的に捕集する。
【００９７】
そして、放電部７１は、図１７、図１８に示すように、針先を下流側である後方へ向け、上下方向に延びる複数の列と左右方向に延びる複数の行から構成される行列を成すように配置された複数のニードル電極７７、…、７７と、複数のニードル電極７７、…、７７を支持固定する格子状の支持電極７８と、支持電極７８の下流側に、各ニードル電極７７と１対１の対極をなす形態で配設されるとともに、空気の通路を構成するために両端が開放された前後方向に延びる四角筒状の複数の対向電極７９、…、７９などから構成される。
【００９８】
各ニードル電極７７は、表面が酸化防止処理としてニッケルメッキされたステンレス鋼製であり、尖った針先部８０と、この針先部８０を支える円柱状の胴体部８１と、胴体部８１より細い円柱状の根元部８２とからなる。支持電極７８は、平板な格子状の金属部材であり、各格子点上に穿孔された取り付け孔が形成されている。ニードル電極７７は、根元部８２が支持電極７８の取り付け孔に挿入された後、かしめ技術を用いて支持電極７８に支持固定されている。支持電極７８の上端部、下端部、および上下方向の中央部におけるそれぞれの両側部の間には、左右方向に延びる連結用金属棒８３、８３、８３がそれぞれ取り付けられ、それぞれの両側部は機械的かつ電気的に接続されている。これらの連結用金属棒８３、８３、８３と支持電極７８とを経由して、ニードル電極７７、…、７７への電圧の印加が成される。すなわち、連結用金属棒８３、８３、８３を介してニードル電極７７、…、７７が所定の正電位に保たれる。一方、対向電極７９、…、７９は、後述する捕集電極板８５と同様に、所定の負電位又は接地電位に保たれる。そして、１対１の対極をなすニードル電極７７と対向電極７９の間には、その間にコロナ放電を起こす電位差が形成される。
【００９９】
連結用金属棒８３、８３、８３の両端部には、絶縁性被覆が施されたナットなどの固定具８４がそれぞれ取り付けられる。連結用金属棒８３は、この固定具８４によって枠体７３の左右の両側部に固定されている。対向電極７９は、幅が略１０〜２０ｍｍの多数の電極平板を上下左右に組み付けて、両端が正方形の開口となる前後方向に延びる四角筒状のセルとして形成される。この四角筒状のセルの奥行き、つまり前後方向の長さは、対向電極７９を形成する電極平板の幅であって、略１０〜２０ｍｍである。この各対向電極７９は、各ニードル電極７７と１対１の対極をなす形態で配設され、ニードル電極７７毎に放電空間をそれぞれ形成している。そして、対向電極７９の内部には、対極をなすニードル電極７７の針先部８０が収められる。対向電極７９全体としての形状は、格子状である。なお、対向電極７９の正方形の開口の一辺の長さは、集塵効率の観点において、１０〜３０ｍｍが好ましく、１５〜２５ｍｍがより好ましい。
【０１００】
捕集部７２は、図１７、図１９に示すように、金属平板からなる複数の捕集電極板８５、…、８５と、同じく金属平板からなる複数の偏向電極板８６、…、８６などから構成される。複数の捕集電極板８５、…、８５は、ニードル電極７７毎に形成された放電空間に連続する空間、つまり放電部７１の下流側の空間を仕切って複数に分割している。捕集電極板８５と偏向電極板８６は、互いに対面する平行な状態で交互に配置されて、枠体７３に取り付けられる。捕集電極板８５と偏向電極板８６の間隔は、隣接するニードル電極７７間の間隔よりも狭い。
【０１０１】
複数の捕集電極板８５、…、８５は、捕集電極板８５と直交する姿勢の複数の捕集電極連結板８７、８７、８８によって、所定の間隔で互いに平行であって、かつ電気的に接続するように連結される。より詳細には、各捕集電極板８５に形成されたスリット状の切り欠き８５ａに、捕集電極連結板８７、８７、８８に所定の間隔で形成された複数のスリット状の切り欠き８７ａ、８７ａ、８８ａを嵌め込むことによって、複数の捕集電極板８５、…、８５を互いに平行とするとともに、電気的に接続させる。
【０１０２】
捕集電極板８５と同様に、複数の偏向電極板８６、…、８６は、偏向電極板８６と直交する姿勢の複数の偏向電極連結板８９、８９、９０によって、所定の間隔で互いに平行であって、かつ電気的に接続するように連結される。なお、各偏向電極板８６に形成されたスリット状の切り欠き８６ａに、偏向電極連結板８９、８９、９０に所定の間隔で形成された複数のスリット状の切り欠き８９ａ、８９ａ、９０ａを嵌め込むことによって、複数の偏向電極板８６、…、８６を互いに平行とするとともに、電気的に接続させる。
【０１０３】
そして、捕集電極板８５、…、８５は、捕集電極連結板８７、８７、８８を介して所定の負電位又は接地電位に保たれ、ニードル電極７７、…、７７によって帯電させられた浮遊微粒子を静電気力で吸引捕集する機能を有する。なお、捕集電極板８５、…、８５は、枠体７３に取り付けられた不図示の捕集電極接続部を介して電気的に接続されることによって、接地電位に保たれる。一方、偏向電極板８６、…、８６は、偏向電極連結板８９、８９、９０を介して所定の正電位に保たれ、傍を通過する帯電した浮遊微粒子に捕集電極板８５へ向かう偏向力を付与する機能を有する。偏向電極板８６、…、８６への電圧の印加は、不図示の偏向電極接続部を介して行われる。
【０１０４】
上述のように構成される電気集塵ユニット７０は、稼働時に、放電部７１では、１対１の対極をなすニードル電極７７と対向電極７９との間に、ニードル電極７７の側が正電位となり、対向電極７９の側が負電位又は接地電位となる結線構成で、図示せぬ電源から、例えば、５ｋＶ程度の直流電圧が印加される。なお、ニードル電極７７、…、７７への電圧の印加は、支持電極７８を経由して行われる。一方、捕集部７２では、各捕集電極板８５と各偏向電極板８６との間に、各捕集電極板８５の側が負電位又は接地電位となり、各偏向電極板８６の側が正電位となる結線構成で、電源から、例えば、５ｋＶ程度の直流電圧が印加される。
【０１０５】
このような状態において、放電部７１では、図２０に示すように、各ニードル電極７７の針先部８０の周りで一様なコロナ放電が持続的に安定して生じてイオン化空間領域９１が形成される。微粒子を含む空気が、このコロナ放電部７１によって形成されたイオン化空間領域９１を通過すると、イオン化エネルギーの低い酸素が電離してプラスイオンとなり、空気中の浮遊微粒子ｐに付着し、浮遊微粒子ｐにはプラスイオンの電荷が付与される。電荷が付与された浮遊微粒子ｐは、下流側に配置された捕集部７２における捕集電極板８５と偏向電極板８６との間を通過する際、捕集電極板８５の近傍に位置する浮遊微粒子ｐは、負電位又は接地電位の捕集電極板８５に吸着される。一方、捕集電極板８５から離れている浮遊微粒子ｐは、偏向電極板８６の正電位によって、反発力としてのクーロン力を受けて捕集電極板８５の方向へ押され、捕集電極板８５に吸着される。このようにして、空気中の浮遊微粒子ｐが電気集塵ユニット７０によって捕集され、空気が清浄される。
【０１０６】
そして、上述の空気清浄機１は、ダクト１８と連通する吸入口１１から清浄させる空気を空調室１０内に吸い込み、清浄させた空気をダクト１９と連通する排気口１２から排出させることができるように構成される（図２参照）。より詳細には、吸入口１１から吸い込まれた空気は、整流板１３によって、その流量が流路断面内で略均一となるように整えられる。流量が流路断面内で均一化された空気は、プレフィルタ１４を通過する。この際、空気中に浮遊する比較的大きな塵や埃がプレフィルタ１４によって捕集される。プレフィルタ１４を通過した空気は、電気集塵装置３０Ｒ、３０Ｌのいずれかを通過する。この際、空気中に浮遊する微粒子が電気集塵装置３０Ｒ、３０Ｌによって捕集される。電気集塵装置３０Ｒ、３０Ｌを通過した空気は、熱交換器１６を含む温度調節装置によって所望の温度にされる。そして、清浄されるとともに所望の温度にされた空気は、排気口１２からダクト１９へ排出される。
【０１０７】
ここで、空気清浄機１は、空気中に浮遊する微粒子を除去するプレフィルタ１４や電気集塵装置３０Ｒ、３０Ｌに加えて、殺菌灯１５や熱交換器１６を備える構成である。つまり、空気清浄機１は、空気中の浮遊微粒子の除去とともに、殺菌灯１５によって空気中に浮遊する細菌を死滅させることができる。更に、空気清浄機１は、熱交換器１６によって空気の温度調節も可能であり、使い勝手が良い。
【０１０８】
また、２つの電気集塵装置３０Ｒ、３０Ｌは、流路を閉塞するように、流路の方向に対して直交する方向である左右方向に隣接して配置されている。電気集塵装置３０Ｒ、３０Ｌが備える電気集塵ユニット７０は、流路の方向に対して直交する方向である左右方向に隣接し、上下２つの列を成して配置されている。つまり、浮遊微粒子の除去をする電気集塵ユニット７０は、流路断面内において、左右方向に隙間を形成しないように配置されている。したがって、空気清浄機１は、多数の電気集塵ユニット７０を備えるとともに、流路断面積に対する電気集塵ユニット７０が占有する面積の比率が高く、広い空間内の空気を効果的に清浄にすることができる。また、電気集塵ユニット７０を大型化することなく広い空間内の空気を効果的に清浄にすることができるので、電気集塵装置３０Ｒ、３０Ｌから電気集塵ユニット７０を容易に着脱することができ、空気清浄機１のメンテナンス性が良好である。
【０１０９】
なお、広い空間内の空気を効果的に清浄にするためには、多数の電気集塵ユニット７０が必要となり、電気集塵装置３０Ｒ、３０Ｌは大型化され、その重量は増大する。ここで、電気集塵装置３０Ｒ、３０Ｌは、架台６０に懸吊支持されている。つまり、電気集塵装置３０Ｒ、３０Ｌの重量は、架台６０の９本の支柱フレーム６１を介して設置面である床Ｆに作用する。したがって、電気集塵装置３０Ｒ、３０Ｌが設置される床Ｆに加わる単位面積当たりの荷重を低減させることができる。そして、空気清浄機１の電気集塵装置３０Ｒ、３０Ｌの設置場所の自由度が増し、例えば、省スペース化が可能となる。
【０１１０】
次に、架台６０に懸吊支持された電気集塵装置３０Ｒ、３０Ｌにおける、電気集塵ユニット７０の着脱の方法について説明する。図２１は、右側に位置する電気集塵装置３０Ｒから電気集塵ユニット７０を取り外す際の空気清浄機１の状態の一例が示された概略平面図であり、図２２は、図２１の概略側面図であり、図２３は、左側に位置する電気集塵装置３０Ｌから電気集塵ユニット７０を取り外す際の空気清浄機１の状態の一例が示された概略平面図である。
【０１１１】
空気清浄機１は、メンテナンスの一つとして、電気集塵ユニット７０を定期的に洗浄する必要がある。上述したように、空気清浄機１は、電気集塵装置３０Ｒ、３０Ｌが備える多数の電気集塵ユニット７０によって空気中の浮遊微粒子を捕集するので、捕集された微粒子を電気集塵ユニット７０から除去する洗浄が必要である。この電気集塵ユニット７０の洗浄は、電気集塵装置３０Ｒ、３０Ｌから取り外した状態でなされる。
【０１１２】
作業者は、右側に位置する電気集塵装置３０Ｒから電気集塵ユニット７０を取り外す際には、図２１、図２２に示すように、電気集塵装置３０Ｒを架台６０に対して後方に移動させた状態で行う。作業者は、扉２２から空調室１０内に入り、左架台領域６０Ｌの後領域６０ＬＲを通り、電気集塵装置３０Ｒの後方である右架台領域６０Ｒの後領域６０ＲＲに位置する。作業者は、架台６０の係止フック６９ａ、６９ｂと電気集塵装置３０Ｒのロックアーム３５、３５との係合を外して、電気集塵装置３０Ｒを架台６０に対して最も後方まで移動させる。この時、第２のストッパー５８、５８とレール６７ａ、６７ｂの停止板６８ａ、６８ｂとが当接し、電気集塵装置３０Ｒは、右架台領域６０Ｒの後領域６０ＲＲ内に位置している。そして、電気集塵装置３０Ｒの左側部に設けられた開閉蓋３９は、左架台領域６０Ｌの後領域６０ＬＲの側に露出された状態となる（図２２参照）。この状態で、作業者は、左架台領域６０Ｌの後領域６０ＬＲに位置し、上述したように、開閉蓋３９を取り外し、順次複数の電気集塵ユニット７０、…、７０を開口の側へ引き出し、電気集塵ユニット７０、…、７０を電気集塵装置３０Ｒから取り外す。なお、電気集塵ユニット７０、…、７０を電気集塵装置３０Ｒに取り付けるには、上述と逆の手順によって行われる。
【０１１３】
一方、作業者は、左側に位置する電気集塵装置３０Ｌから電気集塵ユニット７０を取り外す際には、図２３に示すように、電気集塵装置３０Ｌを架台６０に対して後方に移動させた状態で行う。作業者は、扉２２から空調室１０内に入り、電気集塵装置３０Ｌの後方である左架台領域６０Ｌの後領域６０ＬＲに位置する。作業者は、架台６０の係止フック６９ｃ、６９ｄと電気集塵装置３０Ｌのロックアーム３５、３５との係合を外して、電気集塵装置３０Ｌを架台６０に対して最も後方まで移動させる。この時、第２のストッパー５８、５８とレール６７ｃ、６７ｄの停止板６８ｃ、６８ｄとが当接し、電気集塵装置３０Ｌは、左架台領域６０Ｌの後領域６０ＬＲ内に位置している。そして、電気集塵装置３０Ｌの右側部に設けられた開閉蓋３９は、右架台領域６０Ｒの後領域６０ＲＲの側に露出された状態となる。この状態で、作業者は、右架台領域６０Ｒの後領域６０ＲＲに位置し、上述したように、開閉蓋３９を取り外し、順次複数の電気集塵ユニット７０、…、７０を開口の側へ引き出し、電気集塵ユニット７０、…、７０を電気集塵装置３０Ｌから取り外す。なお、電気集塵ユニット７０、…、７０を電気集塵装置３０Ｌに取り付けは、上述と逆の手順によって行われる。
【０１１４】
ここで、上述したように、電気集塵装置３０Ｒ、３０Ｌは、架台６０に対して最も後方に移動した際、その後部は架台６０の後端から所定の距離だけ離間する前方に位置するように構成されている。そして、電気集塵装置３０Ｒが架台６０に対して最も後方に移動した際、架台６０と電気集塵装置３０Ｒは、電気集塵装置３０Ｒが後方に配設されている殺菌灯１５に当接することがないように構成されている。したがって、作業者は、電気集塵装置３０Ｒの後方を意識することなく移動させることができ、メンテナンス性が良好である。また、電気集塵装置３０Ｌが架台６０に対して最も後方に移動した際、架台６０と電気集塵装置３０Ｌは、右架台領域６０Ｒの後領域６０ＲＲと扉２２との間を作業者が往来できるだけのスペースが、左架台領域６０Ｌの後領域６０ＬＲに形成されるように構成されている。したがって、作業者は、後領域６０ＲＲと扉２２との間を往来しながら電気集塵ユニット７０、…、７０の着脱ができるので、メンテナンス性が良好である。
【０１１５】
また、電気集塵装置３０Ｒ、３０Ｌは、流路の方向と直交する方向である左右方向から電気集塵ユニット７０、…、７０を着脱する構成である。したがって、電気集塵装置３０Ｒ、３０Ｌは、他の部材、例えば脱臭フィルタ３６、オゾンフィルタ３７など取り外すことなく、電気集塵ユニット７０、…、７０を着脱することができ、メンテナンス性が良好である。また、流路断面積が増大するような作業スペースを空調室１０内に設ける必要がなく、空気清浄機１の効率が低下することがない。
【０１１６】
ここで、空気清浄機１は、空気清浄機１が備える電気集塵ユニット７０の数、つまり、電気集塵装置３０Ｒ、３０Ｌが備える電気集塵ユニット７０の数に対応する１８個の第１の警告灯２６、…、２６を備える。また、空気清浄機１は、図示せぬ１つの第２の警告灯を更に備える。第１の警告灯２６、…、２６と第２の警告灯の作動は、制御部２４によって制御される。
【０１１７】
第１の警告灯２６、…、２６は、流路内である空調室１０内であって、制御部２４の近傍に設けられた表示パネル２５に設けられる。第１の警告灯２６、…、２６は、空気清浄機１が備える電気集塵装置３０Ｒ、３０Ｌが備える１８個の電気集塵ユニット７０と１対１で対応している。そして、図２４に示すように、第１の警告灯２６、…、２６は、対応する電気集塵ユニット７０と同様の位置となるように、表示パネル２５に配設されている。ここで、図２４は、表示パネル２５が示された概略図である。
【０１１８】
表示パネル２５において右側に上下に２つの行を成して配設される１０個の第１の警告灯２６、…、２６は、右側に位置する電気集塵装置３０Ｒが備える１０個の電気集塵ユニット７０、…、７０に対応している。この上の行を成す５個の第１の警告灯２６、…、２６は、電気集塵装置３０Ｒの上収納部４１に列を成して収容される５個の電気集塵ユニット７０、…、７０に、それぞれ右側から順に対応している。また、下の行を成す５個の第１の警告灯２６、…、２６は、電気集塵装置３０Ｒの下収納部４２に列を成して収容される５個の電気集塵ユニット７０、…、７０に、それぞれ右側から順に対応している。
【０１１９】
一方、表示パネル２５において左側に配設され、上下に２つの行を形成する８個の第１の警告灯２６、…、２６は、左側に位置する電気集塵装置３０Ｌが備える８個の電気集塵ユニット７０、…、７０に対応している。この上の行を成す４個の第１の警告灯２６、…、２６は、電気集塵装置３０Ｌの上収納部４１に列を成して収容される４個の電気集塵ユニット７０、…、７０に、それぞれ右側から順に対応している。また、下の行を成す４個の第１の警告灯２６、…、２６は、電気集塵装置３０Ｌの下収納部４２に列を成して収容される４個の電気集塵ユニット７０、…、７０に、それぞれ右側から順に対応している。
【０１２０】
各第１の警告灯２６、…、２６は、電圧検出装置５０によって検出される、それぞれが対応する電気集塵ユニット７０、…、７０に印加される電圧値が予め定められた値以下である場合に、それぞれ、点灯したり、点灯色が変更されたり、点滅したりするなどして作動するように構成されている。つまり、第１の警告灯２６は、対応する電気集塵ユニット７０に所定の電圧が印加されていない場合に、作動するように構成されている。
【０１２１】
図示せぬ１つの第２の警告灯は、流路外である空調室１０の外方であって、操作部２３に設けられる。第２の警告灯は、空気清浄機１が備える全ての電気集塵ユニット７０、つまり、電気集塵装置３０Ｒ、３０Ｌが備える１８個の電気集塵ユニット７０に対応している。第２の警告灯は、電圧検出装置５０によって検出される、電気集塵ユニット７０、…、７０に印加される電圧値のいずれかが予め定められた値以下である場合に、点灯したり、点灯色が変更されたり、点滅したりするなどして作動するように構成されている。つまり、第２の警告灯は、いずれかの電気集塵ユニット７０に所定の電圧が印加されていない場合に、作動するように構成されている。
【０１２２】
ここで、電気集塵ユニット７０は、空気中に浮遊する微粒子を静電気による力で捕集するため、電気集塵ユニット７０の作動の状態、つまり正常に稼働している状態であるか、または正常に稼働していない状態であるかを目視によって識別することは困難である。しかしながら、空気清浄機１は、第１の警告灯２６、…、２６や第２の警告灯を備えるので、作業者は、第１の警告灯２６、…、２６や第２警告灯の作動によって、電気集塵ユニット７０、…、７０の作動の状態を目視によって識別することができ、使い勝手が良い。
【０１２３】
なお、第１の警告灯２６、…、２６は、電気集塵ユニット７０、…、７０と１対１で対応するとともに、表示パネル２５における配置も電気集塵ユニット７０、…、７０と対応している。したがって、第１の警告灯２６、…、２６の作動によって、各電気集塵ユニット７０、…、７０の動作の状態を、瞬時に目視によって識別することができ、例えば、どの電気集塵ユニット７０に異常が生じているかを即座に識別することができ、使い勝手が良い。
【０１２４】
また、第２の警告灯は、流路外である空調室１０の外方に設けられているため、空気清浄機１の稼働を停止することなく、電気集塵ユニット７０の作動の状態を目視によって識別することができる。また、第２の警告灯は、１つだけであり、操作部２３などが備える他の表示ランプ等と混同しにくく、使い勝手が良い。
【０１２５】
ここで、電気集塵ユニット７０が備える一対の給電電極７６、７６は、底部にのみ設けられるとともに、底面視において、非対称の位置に配置されている。つまり、給電電極７６、７６は、電気集塵装置３０に前後が逆となる状態、および上下が逆となる状態で電気集塵装置に取り付けられた際には、電気集塵ユニット７０に電圧が印加されないように構成されている。したがって、したがって、第１の警告灯２６、…、２６や第２警告灯の作動によって、電気集塵ユニット７０が正常な向きで電気集塵装置３０に取り付けられているかについもても即座に識別することができ、使い勝手が良い。
【０１２６】
なお、第１の警告灯２６や第２の警告灯の構成は上述の構成に限定されるものではない。例えば、空気清浄機１は、更にブザーを備え、第１の警告灯２６や第２の警告灯の作動と併せてブザーが鳴るような構成としても良い。このような構成にすることで、作業者は音によっても電気集塵ユニット７０の作動の状態を識別することができ、例えば電気集塵ユニット７０の異常による空気清浄機１の稼働効率の低下を防止することができる。
【０１２７】
なお、空気清浄機１は、上述の構成に限定されるものではない。空気清浄機１は、複数の電気集塵ユニット７０を着脱自在に有する複数の電気集塵装置３０と、流路の方向に対して直交する方向に隣接して列を成す複数の電気集塵装置３０を支持する架台６０とを備え、電気集塵ユニット７０は、コロナ放電を発生させて空気中の浮遊微粒子ｐを帯電させる放電部７１と、放電部７１によって帯電された浮遊微粒子ｐを電気的に付着させる捕集部７２とを有し、架台６０は、複数の電気集塵装置３０を流路の方向にそれぞれ移動可能に支持し、電気集塵装置３０は、隣接する別の電気集塵装置３０の側に、電気集塵ユニット７０の着脱時に開く開閉蓋３９を備える構成であれば良い。
【０１２８】
そして、電気集塵装置３０や電気集塵ユニット７０の数は、流路断面積や、空気を清浄にする空間の大きさなどに応じて適宜設計できる。例えば、空気清浄機１は、左右方向に隣接して列を成すように配置される電気集塵装置３０を３つ備える構成であっても良い。また、電気集塵装置３０は、電気集塵ユニット７０が上下方向に３つの列を成して配置される構成であっても良い。また、電気集塵ユニット７０の上下の向きは特に限定されるものでなく、放電部７１が上流側に位置し、捕集部７２が下流側に位置するように配置されていれば良い。例えば、下収納部４２に収容される電気集塵ユニット７０は、上収納部４１に収容される電気集塵ユニット７０と同様に、給電電極７６、７６が下方に位置する状態で収容されるように構成されても良い。また、電気集塵装置３０における脱臭フィルタ３６やオゾンフィルタ３７の数や位置は、上述の構成に限定されるものではなく、適宜設計できる。
【０１２９】
また、電気集塵ユニット７０は、上述の構成に限定されるものではない。電気集塵ユニット７０は、左右の両側部に把持部７５、７５を備える構成であるが、開閉蓋３９が取り外された開口から着脱できるように構成されていれば良く、把持部７５の位置や構成は適宜設計できる。例えば、左右のいずれか一方に把持部７５を備える構成であっても良い。このような場合には、開口から電気集塵ユニット７０を取り出せるように、電気集塵ユニット７０を配置させる。例えば、電気集塵ユニット７０が左側の側部に把持部７５を備える構成の場合、右側に位置する電気集塵装置３０Ｒの上収納部４１及び下収納部４２には給電電極７６、７６が下方に位置する状態で電気集塵ユニット７０が収容されるように構成し、左側に位置する電気集塵装置３０Ｌの上収納部４１及び下収納部４２には給電電極７６、７６が上方に位置する状態で電気集塵ユニット７０が収容されるように構成する。つまり、把持部７５が電気集塵装置３０の閉塞蓋３９側を向くように電気集塵ユニット７０を配置させる。また、電気集塵ユニット７０は、放電部７１のニードル電極７７の針先が下流側へ向かう構成であるが、ニードル電極７７の針先が上流側へ向かう構成であっても良い。また、放電部７１は、ニードル電極７７でコロナ放電を発生させる構成に限定されるものではなく、放電線でコロナ放電を発生させる構成であっても良い。ニードル電極の針先が上流側へ向かう構成の電気集塵ユニットとしては、例えば、図２５、図２６に示すような構成の電気集塵ユニット１７０であっても良い。ここで、図２５は、別の電気集塵ユニット１７０の構成の一例が示された概略水平断面図であり、図２６は、図２５の電気集塵ユニット１７０の捕集機能を説明するための概略鉛直断面図である。ここで、図２５、図２６における矢印は、空気の流れ方向を示す。
【０１３０】
電気集塵ユニット１７０は、複数のニードル偏向一体電極１７１、…、１７１、複数の捕集電極１７２、…、１７２、枠体１７３などから構成される。枠体１７３は、前後方向に筒軸が延びる四角筒状であり、内部に複数のニードル偏向一体電極１７１、…、１７１と複数の捕集電極１７２、…、１７２とを収容する。
【０１３１】
ニードル偏向一体電極１７１は、ニードル電極１７４と、前後方向に延びる四角柱状の偏向電極部１７５とから構成される。ニードル電極１７４は、偏向電極部１７５の上流側である前端部に、針先が上流側へ向かうように突出した状態で取り付けられる。複数のニードル偏向一体電極１７１は、上下方向に延びる複数の列と左右方向に延びる複数の行から構成される行列を成すように配置される。
【０１３２】
捕集電極１７２は、前後方向に筒軸が延びる四角筒状である。そして、捕集電極１７２は、ニードル偏向一体電極１７１と１対１の対極をなし、内部にニードル偏向一体電極１７１が嵌め込まれる形態で配設される。捕集電極１７２とその内部に嵌め込まれたニードル偏向一体電極１７１との間には、空気の通り道となる幅略５ｍｍの角環状の隙間が形成されている。なお、各捕集電極１７２は、多数の電極平板を上下左右に組み付けて、両端が正方形の開口となる前後方向に延びる四角筒状のセルとして形成される。この捕集電極１７２を形成する多数の電極平板は、前後方向に筒軸が延びる四角筒状の支持枠体１７６の内部に形成されている。そして、この支持枠体１７６が枠体１７３の内部に嵌合させられて、捕集電極１７２が枠体１７３に取り付けられる。
【０１３３】
枠体１７３の下流側である後端部には、複数のニードル偏向一体電極１７１、…、１７１を支持するとともに、電気的に接続する連結支持部材１７７が配置される。連結支持部材１７７は、絶縁プレート１７８を介して枠体１７３に固定されている。
【０１３４】
上述のように構成される電気集塵ユニット１７０は、稼働時に、各ニードル偏向一体電極１７１と各捕集電極１７２との間に、各ニードル偏向一体電極１７１の側が正電位となり、各捕集電極１７２の側が負電位又は接地電位となる結線構成で、図示せぬ電源から、例えば、５ｋＶ程度の直流電圧が印加される。なお、各ニードル偏向一体電極１７１への電圧の印加は、連結支持部材１７７を経由して行われる。
【０１３５】
このような状態において、図２６に示すように、各ニードル電極１７４の針先の周りで一様なコロナ放電が持続的に安定して生じてイオン化空間領域１７９が形成される。微粒子を含む空気が、このイオン化空間領域１７９を通過すると、イオン化エネルギーの低い酸素が電離してプラスイオンとなり、空気中の浮遊微粒子ｐに付着し、浮遊微粒子ｐにはプラスイオンの電荷が付与される。電荷が付与された浮遊微粒子ｐは、ニードル電極１７４の下流側である後方に位置する偏向電極部１７５と捕集電極１７２との間を通過する際、捕集電極１７２の近傍に位置する微粒子ｐは、負電位又は接地電位の捕集電極１７２に吸着される。一方、捕集電極１７２から離れている浮遊微粒子ｐは、偏向電極部１７５の正電位によって、反発力としてのクーロン力を受けて捕集電極１７２の方向へ押され、捕集電極１７２に吸着される。このようにして、空気中の浮遊微粒子ｐが電気集塵ユニット１７０によって捕集され、空気が清浄される。なお、電気集塵ユニット１７０は、電気集塵ユニット７０と同様に、枠体１７３の両側部に設けられる図示せぬ把持部や、枠体１７３の下部に設けられる図示せぬ給電電極なども備える。このような構成の電気集塵ユニット１７０であっても、上述の電気集塵ユニット７０と同様の効果が得られ、空気清浄機１は、効果的に空気中の浮遊微粒子を除去できるとともに、メンテナンス性は良好である。
【０１３６】
また、架台６０は、上述のように電気集塵装置３０を懸吊支持する構成に限定されるものではない。図示による説明は省略するが、架台６０は、例えば、電気集塵装置３０が床Ｆに運搬ローラ３４を介して接地した状態で、電気集塵装置３０を前後方向に移動可能に支持する構成であっても良い。
【０１３７】
また、空調室１０は、制御部２４によって作動が制御され、扉２２を閉塞状態に保持されるロック機構を備える構成であっても良い。例えば、ロック機構は、殺菌灯１５が作動している場合には、扉２２を閉塞状態に維持させ、殺菌灯１５が作動していない場合には、開放可能な状態となるように作動される。このような構成にすることで、扉２２が不用意に開放されることがなく、殺菌灯１５による作業者への影響が低減される。また、ロック機構は、吸引ファン装置１７が作動している場合には、扉２２を閉塞状態に維持させ、吸引ファン装置１７が作動していない場合には、開放可能な状態となるように構成されても良い。また、殺菌灯１５と吸引ファン装置１７は、扉２２の開放に応じて作動が停止されるように構成されても良い。このような構成にすることで、殺菌灯１５や吸引ファン装置１７による作業者への影響が低減される。
【産業上の利用可能性】
【０１３８】
本開示は、タバコの煙、溶接ヒューム、各種オイルミストなど空気中に浮遊する微粒子を捕集して空気を清浄にする空気清浄機に適用することができる。しかしながら、本開示は、上述された実施形態に限定されるものではなく、発明の主旨を逸脱しない範囲内であらゆる形態を取ることができる。本開示の空気清浄機は、住宅、集合住宅、オフィス、レストラン、遊技施設、工場、ホテルなどの室内空間における空気を清浄にする空気清浄機に適用することができ、特に、広い空間内の空気を清浄にする空気清浄機に有用である。
【符号の説明】
【０１３９】
１  空気清浄機
１０  空調室（流路）
１１  吸入口
１２  排気口
１６  熱交換器
２６  第１の警告灯
３０Ｒ、３０Ｌ  電気集塵装置
３６  脱臭フィルタ
３７  オゾンフィルタ
３９  開閉蓋
５０  電圧検出装置
６０  架台
７０  電気集塵ユニット
７１  放電部
７２  捕集部
７７  ニードル電極
７９  対向電極
８５  捕集電極板
８６  偏向電極板
ｐ  浮遊微粒子
【図１】
2016209791.tif 000003
【図２】
2016209791.tif 000004
【図３】
2016209791.tif 000005
【図４】
2016209791.tif 000006
【図５】
2016209791.tif 000007
【図６】
2016209791.tif 000008
【図７】
2016209791.tif 000009
【図８】
2016209791.tif 000010
【図９】
2016209791.tif 000011
【図１０】
2016209791.tif 000012
【図１１】
2016209791.tif 000013
【図１２】
2016209791.tif 000014
【図１３】
2016209791.tif 000015
【図１４】
2016209791.tif 000016
【図１５】
2016209791.tif 000017
【図１６】
2016209791.tif 000018
【図１７】
2016209791.tif 000019
【図１８】
2016209791.tif 000020
【図１９】
2016209791.tif 000021
【図２０】
2016209791.tif 000022
【図２１】
2016209791.tif 000023
【図２２】
2016209791.tif 000024
【図２３】
2016209791.tif 000025
【図２４】
2016209791.tif 000026
【図２５】
2016209791.tif 000027
【図２６】
2016209791.tif 000028